(57)【特許請求の範囲】
【請求項１】
耐火ケーブルが接続される外部端子を有する直流電力入力部と、
発光ダイオードを有し、前記直流電力入力部に供給される直流電力を用いて前記発光ダイオードを発光させる発光部と、
を備え、
椅子に設けることができるようになっている客席誘導灯。
【請求項２】
前記直流電力入力部と前記発光部との間に設けられ、ダイオードブリッジを有して、前記直流電力入力部に供給される直流電力の向きにかかわらず、所定の向きの直流電力を前記発光部へ向けて出力する逆接続防止部を備える、請求項１に記載の客席誘導灯。
【請求項３】
前記直流電力入力部は、商用電力よりも低い電圧の直流電力の供給を受ける、請求項１または請求項２に記載の客席誘導灯。
【請求項４】
前記直流電力入力部は、２４ボルトの直流電力の供給を受ける、請求項３に記載の客席誘導灯。
【請求項５】
客席誘導灯として、請求項１から４のいずれか一項に記載の客席誘導灯を備えた椅子。
【請求項６】
配電盤と、椅子に設けられている客席誘導灯とを備え、
前記配電盤は、
商用電源からの電力の供給を受けて、該商用電源からの電力を直流電力に変換して出力する交流直流変換部と、
充電池を有して前記商用電源の停電時に直流電力を出力する蓄電部と、
を備え、
前記誘導灯は、発光ダイオードを有し、前記配電盤から供給される直流電力を用いて前記発光ダイオードを発光させる発光部を備え、
前記配電盤と前記誘導灯とが耐火ケーブルで接続されている、
誘導灯システム。
【発明の詳細な説明】
【技術分野】
【０００１】
本発明は、客席誘導灯、椅子および誘導灯システムに関する。
【背景技術】
【０００２】
誘導灯には、避難口の上部又はその直近の避難上有効な箇所に設けて避難口を指し示す避難口誘導灯と、廊下又は通路の各部分に設けて避難方向を示す通路誘導灯と、客席周辺の足元を照らして避難上有効な照度を与える客席誘導灯がある。
これら誘導灯に関連して、客席周辺の足元を照らす照明設備として、電源断時にも照明を維持できるように蓄電池などの電池を備えた照明設備が知られている（特許文献１、２参照）。
【先行技術文献】
【特許文献】
【０００３】
【特許文献１】実開昭５９−６５４０９号公報
【特許文献２】特開２０１２−１１０５４８号公報
【発明の概要】
【発明が解決しようとする課題】
【０００４】
誘導灯に電池を適用することで、電源断時にも照明を維持できる一方、電池の点検が負担となる。例えば、蓄電池などの電池を備えている客席誘導灯において、非常時に照明時間を確保できるよう、定期的に電池の残容量を確認する必要があり、設備の管理者にとって負担となる。大規模な劇場など客席誘導灯の数が多い場合、設備の管理者の負担が特に大きい。
【０００５】
本発明は、設備の管理者の負担を軽減することができる客席誘導灯、椅子および誘導灯システムを提供する。
【課題を解決するための手段】
【０００６】
本発明の第１の態様によれば、客席誘導灯は、耐火ケーブルが接続される外部端子を有する直流電力入力部と、発光ダイオードを有し、前記直流電力入力部に供給される直流電力を用いて前記発光ダイオードを発光させる発光部と、を備え、椅子に設けることができるようになっている。
【０００７】
前記直流電力入力部と前記発光部との間に設けられ、ダイオードブリッジを有して、前記直流電力入力部に供給される直流電力の向きにかかわらず、所定の向きの直流電力を前記発光部へ向けて出力する逆接続防止部を備えるようにしてもよい。
【０００８】
前記直流電力入力部は、商用電力よりも低い電圧の直流電力の供給を受けるようにしてもよい。
【０００９】
前記直流電力入力部は、２４ボルトの直流電力の供給を受けるようにしてもよい。
【００１０】
本発明の第２の態様によれば、椅子は、上記したいずれかの客席誘導灯を備える。
【００１１】
本発明の第３の態様によれば、誘導灯システムは、配電盤と、椅子に設けられている客席誘導灯とを備え、前記配電盤は、商用電源からの電力の供給を受けて、該商用電源からの電力を直流電力に変換して出力する交流直流変換部と、充電池を有して前記商用電源の停電時に直流電力を出力する蓄電部と、を備え、前記誘導灯は、発光ダイオードを有し、前記直流電力入力部に供給される直流電力を用いて前記発光ダイオードを発光させる発光部を備え、前記配電盤と前記誘導灯とが耐火ケーブルで接続されている。
【発明の効果】
【００１３】
上記した客席誘導灯、椅子および誘導灯システムによれば、設備の管理者の負担を軽減することができる。
【図面の簡単な説明】
【００１４】
【図１】本発明の一実施形態における客席誘導灯システムの機能構成を示す概略ブロック図である。
【図２】同実施形態における客席誘導灯の客席への設置例を示す概略斜視図である。
【図３】同実施形態での、劇場における客席誘導灯システムの配置例を示す配置図である。
【図４】同実施形態における客席誘導灯の回路構成例を示す回路図である。
【図５】同実施形態における客席誘導灯の裏面の外形の例を示す概略外形図である。
【図６】同実施形態における配電盤から客席誘導灯への耐火ケーブルの配線例を示す図である。
【発明を実施するための形態】
【００１５】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
なお、以下では誘導灯が客席誘導灯である場合を例に説明するが、本実施形態における誘導灯は、客席誘導灯に限らない。例えば、本実施形態における誘導灯が、避難口誘導灯であってもよいし、通路誘導灯であってもよい。
【００１６】
図１は、本発明の一実施形態における客席誘導灯システムの機能構成を示す概略ブロック図である。同図において、客席誘導灯システム１は、配電盤１０と、客席誘導灯２０とを備える。配電盤１０は、交流入力部１１と、変圧部１２と、交流直流変換部１３と、蓄電部１４と、直流出力部１５とを備える。客席誘導灯２０は、直流電力入力部２１と、逆接続防止部２２と、定電流回路２３と、発光部２４とを備える。また、配電盤１０は商用電源８０および１つ以上の客席誘導灯２０と接続されている。
なお、客席誘導灯システム１が備える配電盤の数は１つであってもよいし複数であってもよい。例えば、客席誘導灯システム１が、二重系を構成する２つの配電盤を備えるようにしてもよい。
【００１７】
客席誘導灯システム１は、例えば劇場等において、客席の椅子に設けられた客席誘導灯２０に電力を供給して通路を照らす。この点について、図２および図３を参照して説明する。
図２は、客席誘導灯２０の客席への設置例を示す概略斜視図である。同図において、客席誘導灯２０が、客席の椅子９０に設置されている。ここでいう客席誘導灯とは、劇場等の客席の通路部分に設けられる灯火をいい、客席の床面に避難上有効な照度を与えるものである。
【００１８】
椅子９０は、例えば映画館または劇場などの施設に設けられる長椅子である。
客席誘導灯２０は、椅子９０の側面に設置され、下向きに光を発している。これにより、客席誘導灯２０は、椅子９０の横の通路を照らしている。
このように、客席誘導灯２０は、客席の椅子に設けられて客席周辺の足元を照らす。特に、客席誘導灯２０は、火災等の非常時に避難に有効な照度を与える。
但し、客席誘導灯２０の椅子９０への設置場所は、椅子９０の側面に限らない。例えば、客席誘導灯２０が椅子９０の座部下面の前側または後側に設置され、椅子９０前後の通路を照らすようにしてもよい。
【００１９】
図３は、劇場における客席誘導灯システム１の配置例を示す配置図である。同図において、客席誘導灯２０が、椅子９０の側面に例えば１列おきなど多少の間隔をおいて配置されている。これら客席誘導灯２０と配電盤１０とが経路Ｗ１１の電源ケーブルで接続され、配電盤１０から客席誘導灯２０の各々へ電力が供給される。客席誘導灯２０の各々が配電盤１０からの電力により下向きに光を出力して通路を照らすことで、客席横の通路を客に示すことができ、特に非常時に客の避難を支援することができる。
なお、経路Ｗ１１の電源ケーブルには耐火ケーブルが用いられており、火災時でも配電盤１０から客席誘導灯２０の各々へ電力を供給し得る。耐火ケーブルとして、例えば、ＪＩＳ  Ａ１３０４建築構造部分の耐火試験方法に規定する耐熱Ｃ種配線以上の耐熱性を備える配線を用いる。
【００２０】
図１に戻って、配電盤１０は、商用電源８０からの交流１００ボルト（Ｖ）の商用電源を直流２４ボルトに変換し、客席誘導灯２０の各々に、直流２４ボルトの電力を供給する。
交流入力部１１は外部端子を有し、商用電源から供給される交流１００ボルトの電力を受ける。ここでいう外部端子とは、自装置（交流入力部１１の場合は配電盤１０）の外部からのケーブルが接続される端子である。
変圧部１２は、例えばトランス（Transmitter）などの変圧回路を有し、交流入力部１１が受けた交流電力を変圧（降圧）する。なお、変圧部１２における電圧比を切り替え可能にすることで、配電盤１０が、例えば交流２００ボルトなど、交流１００ボルト以外の電力を受けられるようにしてもよい。
【００２１】
交流直流変換部１３は、例えばダイオードブリッジ（Diode Bridge）による整流回路およびコンデンサ等の平滑化回路など、交流直流変換回路（AC/DC Converter）を有し、変圧部１２が変圧した交流電力を直流電力に変換して、直流２４ボルトの電力を出力する。ここでいう整流回路とは、交流を直流に変換する回路である。
蓄電部１４は、定格電圧２４ボルトの蓄電池を有し、交流直流変換部１３からの直流電力にて充電される。また、蓄電部１４は、例えば商用電源停電時など交流直流変換部１３からの電源断時には、直流２４ボルトの電力を出力（放電）する。
なお、蓄電部１４が独立した装置として構成されるなど、蓄電部１４が、配電盤１０の外部に設けられていてもよい。
【００２２】
直流出力部１５は外部端子を有し、交流直流変換部１３または蓄電部１４からの直流２４ボルトの電力を、外部端子から出力する。例えば、直流出力部１５は交流直流変換部１３と蓄電部１４との切替スイッチを有し、交流直流変換部１３からの電力供給の有無によってスイッチを切り替える。あるいは、蓄電部１４がフロート充電を行って、交流直流変換部１３からの電力供給の有無により充放電が自動的に切り替わるようにしてもよい。
【００２３】
経路Ｗ１１には、耐火ケーブルが用いられ、配電盤１０と客席誘導灯２０の各々とを接続する。経路Ｗ１１の耐火ケーブルは、配電盤１０側では直流出力部１５に接続されており、直流出力部１５が出力する直流２４ボルトの電力を客席誘導灯２０の各々へ供給する。
【００２４】
客席誘導灯２０は、図２を参照して説明したように、客席の椅子に設けられて客席周辺の足元を照らす。
直流電力入力部２１は、経路Ｗ１１の耐火ケーブルが接続される外部端子を有し、配電盤１０の直流出力部１５が出力する直流２４ボルトの電力の供給を受ける。
逆接続防止部２２は、整流回路に用いられるダイオードブリッジを有して、直流電力入力部２１に供給される直流電力の向きにかかわらず、所定の向きの直流電力を発光部２４へ向けて出力する。
定電流回路２３は、例えば３端子レギュレータＩＣ（Integrated Circuit、集積回路）などを用いて構成され、逆接続防止部２２からの直流電力の電流を安定させる。
発光部２４は、発光ダイオード（Light Emitting Diode；LED）を有し、直流電力入力部２１に供給される直流電力を用いて発光ダイオードを発光させる。発光部２４は、当該発光ダイオードの発光により、図２を参照して説明したように客席周辺の足元を照らす。
【００２５】
図４は、客席誘導灯２０の回路構成例を示す回路図である。同図の回路において、外部端子ＴＭ１に経路Ｗ１１（図１）の耐火ケーブルが接続され、配電盤１０から直流２４ボルトの電力の供給を受ける。耐火ケーブルのプラスマイナス２極のうちいずれか一方が、外部端子ＴＭ１の端子Ｗに接続され、他方が端子Ｂに接続される。
また、端子Ｂの側には、過電流からの回路保護のためにヒューズＦ１が設けられている。
例えば外部端子ＴＭ１およびヒューズＦ１など、外部端子ＴＭ１を含む回路は、直流電力入力部２１の例に該当する。
【００２６】
ここで、図５および図６を参照して、外部端子ＴＭ１への耐火ケーブルの配線について説明する。
図５は、客席誘導灯２０の裏面（椅子９０に対向して設置される面）の外形の例を示す概略外形図である。同図に示すように、外部端子ＴＭ１は、客席誘導灯２０の裏面から耐火ケーブルを差し込む向きに配置されている。また、図５において、外部端子ＴＭ１の端子ＢおよびＷが示されている。上記のように、耐火ケーブルのプラスマイナス２極のうちいずれか一方が、外部端子ＴＭ１の端子Ｗに接続され、他方が端子Ｂに接続される。
【００２７】
図６は、配電盤１０から客席誘導灯２０への耐火ケーブルの配線例を示す図である。経路Ｗ１１の耐火ケーブルは、例えば床下など邪魔にならない場所に配線され、配電盤１０と客席誘導灯２０の各々を接続している。椅子９０の脚元の床下にアウトレットボックス７０が設けられて耐火ケーブルが立ち上げられる。耐火ケーブルは、例えば椅子９０の脚の内部を通って客席誘導灯２０の外部端子ＴＭ１まで配線される。
【００２８】
図４に戻って、外部端子ＴＭ１が受けた電力は、ダイオードブリッジ回路ＤＢ１へ出力される。ダイオードブリッジ回路ＤＢ１は、外部端子ＴＭ１のＷ端子にプラス極、マイナス極の何れが接続された場合でも、同じ極性で直流電力を出力する。
ダイオードブリッジ回路ＤＢ１を含む回路は、逆接続防止部２２の例に該当する。
【００２９】
ダイオードブリッジ回路ＤＢ１が出力した電力は、可変３端子レギュレータＵ１へ入力される。可変３端子レギュレータは定電流電源として機能して、電流の安定化を行う。なお、ダイオードブリッジ回路ＤＢ１と可変３端子レギュレータＵ１との間には、静電気放電（Electrostatic Discharge；ＥＳＤ）保護用コンデンサＤ１、および、高周波を除去するコンデンサＣ１が設けられている。また、抵抗Ｒ１〜Ｒ３にて電圧および電流が調整される。
例えば、可変３端子レギュレータＵ１、静電気放電（Electrostatic Discharge；ＥＳＤ）保護用コンデンサＤ１、コンデンサＣ１および抵抗Ｒ１〜Ｒ３など、可変３端子レギュレータＵ１を含む回路は、定電流回路２３の例に該当する。
【００３０】
可変３端子レギュレータＵ１からの電力は端子ＣＮ１を経由して発光ダイオード基板Ｄ２へ供給される。発光ダイオード基板Ｄ２は、可変３端子レギュレータＵ１からの電力にて発光ダイオードを発光させる。
【００３１】
以上のように、客席誘導灯２０では、外部端子ＴＭ１に接続される耐火ケーブルにて直流電力の供給を受ける。これにより、配電盤１０に蓄電池を設置するなど、客席誘導灯２０には蓄電池を設置しない構成としても、火災等の非常時に配電盤１０から電力の供給を受けて光を出力し得る。客席誘導灯２０に蓄電池を備える必要がないことで、客席誘導灯２０が設置された設備（例えば劇場など）の管理者は、客席誘導灯２０の各々について定期的に蓄電池の残容量を確認する必要がなく、この点において管理者の負担を軽減させることができる。管理者は、配電盤１０の蓄電池の残容量を確認すればよく、例えば客席誘導灯システム１が１つの配電盤１０を備え、配電盤１０に１つの蓄電池が設けられている場合、作業者は、１つの蓄電池の残容量を確認すればよい。
また、客席誘導灯２０が蓄電池を備える必要がない点で、客席誘導灯２０の製造コストを低減させることができる。
【００３２】
また、客席誘導灯２０に蓄電池を備える必要がないことで、蓄電池の状態を試験するための部品（例えば、充電モニタ用発光ダイオード、および、点検スイッチなど）を客席誘導灯２０が備える必要がない。この点において、客席誘導灯２０の製造コストを低減させることができ、また、客席誘導灯２０を小型化することができる。
また、客席誘導灯２０の構成が簡単になることで故障の可能性が低減される。この点において、客席誘導灯２０は信頼性が高い。また、客席誘導灯２０は、白熱電球よりも寿命が長い発光ダイオードを電源として備える点でも信頼性が高い。
【００３３】
また、客席誘導灯２０では、直流電力入力部２１と発光部２４との間に、ダイオードブリッジ回路ＤＢ１を有する逆接続防止部２２が設けられている。逆接続防止部２２は、直流電力入力部２１に供給される直流電力の向きにかかわらず、所定の向きの直流電力を発光部２４へ向けて出力する。これにより、客席誘導灯２０に耐火ケーブルを接続する際、耐火ケーブルの極性（プラス極、マイナス極）を考慮する必要がなく、配線作業性が向上する。
【００３４】
また、直流電力入力部２１は、商用電力よりも低い電圧の直流電力の供給を受ける。これにより、客席誘導灯２０が降圧用の回路を備える必要なしに低電圧の回路素子を用いることができ、客席誘導灯２０の製造コストを低減させることができる。
【００３５】
さらに、直流電力入力部２１は、汎用性の高い２４ボルトの直流電力の供給を受ける。これにより、客席誘導灯２０では汎用の回路素子を用いることができ、客席誘導灯２０の製造コストをさらに低減させることができる。
【００３６】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００３７】
１  客席誘導灯システム
１０  配電盤
１１  交流入力部
１２  変圧部
１３  交流直流変換部
１４  蓄電部
１５  直流出力部
２０  客席誘導灯
２１  直流電力入力部
２２  逆接続防止部
２３  定電流回路
２４  発光部
【図１】
0006470546.tif 000002
【図２】
0006470546.tif 000003
【図３】
0006470546.tif 000004
【図４】
0006470546.tif 000005
【図５】
0006470546.tif 000006
【図６】
0006470546.tif 000007